Podtech/llm-jp-corpus-v4-ja_patent huggingface dataset:
(57)【要約】      （修正有）【課題】衛生マスクが製造されてから使用者の手に届くまでの間に、衛生マスクに細菌やウイルスが付着しないようにするだけでなく、衛生マスクをお洒落で清潔な外観で包装することや、衛生マスクを包装袋に収容したままの状態でポケットに入れたり人に手渡したりすることや、使用後の衛生マスクを包装袋に入れてコンパクトに廃棄することもできる衛生マスク包装体を提供する。【解決手段】衛生マスク包装体１０は、スティック状に折り畳まれた衛生マスク１１を、樹脂フィルム製の包装袋１２で個包装したものとした。スティック状に折り畳んだ衛生マスク１１は、樹脂フィルム製のバンドで結束することが好ましい。また、包装袋１２の中に、籤又はメッセージを記した紙を入れることも好ましい。【選択図】図１
0003228666.tif 000002
【実用新案登録請求の範囲】
【請求項１】
スティック状に折り畳まれた衛生マスクを、樹脂フィルム製の包装袋で個包装したことを特徴とする衛生マスク包装体。
【請求項２】
スティック状に折り畳まれた衛生マスクを、樹脂フィルム製のバンドで結束した請求項１記載の衛生マスク包装体。
【請求項３】
包装袋の中に、籤又はメッセージを記した紙を入れた請求項１又は２記載の衛生マスク包装体。
【考案の詳細な説明】
【技術分野】
【０００１】
本考案は、衛生マスクを包装袋で包装した衛生マスク包装体に関する。
【背景技術】
【０００２】
衛生マスク包装体としては、特許文献１に記載のものが知られている。同文献の衛生マスク包装体は、略長方形状の袋体に、複数枚の衛生マスクを積層収納し、袋体の取り出し口に蓋ラベルを開閉自在な状態でシールしたものとなっている。
【先行技術文献】
【特許文献】
【０００３】
【特許文献１】特開２０１１−１６２２６４号公報
【考案の概要】
【考案が解決しようとする課題】
【０００４】
本考案は、衛生マスクが製造されてから使用者の手に届くまでの間に、衛生マスクに細菌やウイルスが付着しないようにするだけでなく、衛生マスクをお洒落で清潔な外観で包装することや、衛生マスクを包装袋に収容したままの状態でポケットに入れたり人に手渡したりすることや、使用後の衛生マスクを包装袋に入れてコンパクトに廃棄することもできる衛生マスク包装体を提供するものである。
【課題を解決するための手段】
【０００５】
上記課題は、スティック状に折り畳まれた衛生マスクを、樹脂フィルム製の包装袋で個包装したことを特徴とする衛生マスク包装体を提供することによって解決される。本考案の衛生マスク包装体においては、スティック状に折り畳まれた衛生マスクを、樹脂フィルム製のバンドで結束することが好ましい。また、本考案の衛生マスク包装体においては、包装袋の中に、籤又はメッセージを記した紙を入れることも好ましい。
【考案の効果】
【０００６】
以上のように、本考案によって、衛生マスクが製造されてから使用者の手に届くまでの間に、衛生マスクに細菌やウイルスが付着しないようにするだけでなく、衛生マスクをお洒落で清潔な外観で包装することや、衛生マスクを包装袋に収容したままの状態でポケットに入れたり人に手渡したりすることや、使用後の衛生マスクを包装袋に入れてコンパクトに廃棄することもできる衛生マスク包装体を提供することが可能になる。
【図面の簡単な説明】
【０００７】
【図１】本考案に係る衛生マスク包装体の斜視図である。
【図２】本考案に係る衛生マスク包装体の平面図である。
【図３】本考案に係る衛生マスク包装体の底面図である。
【図４】本考案に係る衛生マスク包装体の正面図である。
【図５】本考案に係る衛生マスク包装体の背面図である。
【図６】本考案に係る衛生マスク包装体の左側面図である。
【図７】本考案に係る衛生マスク包装体の右側面図である。
【図８】本考案に係る衛生マスク包装体の中身の衛生マスク（展開状態）を示した参考展開図である。
【図９】本考案に係る衛生マスク包装体の中身の衛生マスク（折り畳み状態）を示した参考斜視図である。
【図１０】本考案に係る衛生マスク包装体を箱詰めした状態を示した斜視図である。
【考案を実施するための形態】
【０００８】
本考案の衛生マスク包装体１０は、図１〜７に示すように、樹脂フィルム製の包装袋１２に衛生マスク１１を個包装したものとなっている。中身の衛生マスク１２は、図８に示す形態を有しているところ、図９に示すように、スティック状に折り畳まれ、樹脂フィルム製のバンド１３で結束された状態で包装袋に収容されている。
【０００９】
本考案の衛生マスク包装体１０によって、衛生マスク１０が製造されてから使用者の手に届くまでの間に、衛生マスク１２に細菌やウイルスが付着しないようにすることができる。また、衛生マスク１２をお洒落で清潔な外観とすることができる。さらに、本考案の衛生マスク包装体１０は、そのままの状態（包装袋１１に収容したままの状態）でポケットに入れることができるし、人に手渡しをしやすい。さらに、使用後の衛生マスク１２を包装袋１１に入れてコンパクトに廃棄することもできる。
【００１０】
さらにまた、図１０に示すように、本考案の衛生マスク包装体１０を縦置きでコンパクトに箱２０に詰めることができる。本考案の衛生マスク包装体１０の箱２０からの取り出しも容易である。加えて、本考案の衛生マスク包装体１０では、包装袋１１の中に、衛生マスク１２と一緒に、籤やメッセージが記された紙を入れたりする等、ゲーム性を考慮したアレンジを行うこともできる。
【符号の説明】
【００１１】
１０    衛生マスク包装体
１１    樹脂フィルム製の包装袋
１２    衛生マスク
１３    樹脂フィルム製のバンド
２０    箱
【図１】
0003228666.tif 000003
【図２】
0003228666.tif 000004
【図３】
0003228666.tif 000005
【図４】
0003228666.tif 000006
【図５】
0003228666.tif 000007
【図６】
0003228666.tif 000008
【図７】
0003228666.tif 000009
【図８】
0003228666.tif 000010
【図９】
0003228666.tif 000011
【図１０】
0003228666.tif 000012
(57)【要約】【課題】御朱印帳の書いたばかりの頁の墨が対面の頁を汚すことを防止するべく、用紙を確実に保持し、汚れたら容易に用紙を追加、交換又は除去することができる御朱印帳用しおりを提供する。【解決手段】略四角平面状のしおり本体１０１に、上端部狭持体１０２及び下端部狭持体１０３が設けられている。しおり本体１０１の上部には突出部１０４が設けられている。上端部狭持体１０２、下端部狭持体１０３のしおり本体１０１への接合部を隠し、かつ、飾り付けるための飾り枠１０５が設けられている。【選択図】図１
0003228127.tif 000002
【実用新案登録請求の範囲】
【請求項１】
略四角平面状のしおり本体の上端部及び下端部に用紙の挟持体が設けられたことを特徴とするしおり。
【考案の詳細な説明】
【技術分野】
【０００１】
本考案は、御朱印帳の書いたばかりの頁の墨が対面の頁を汚すことを防止することができる御朱印帳用しおりに関するものである。
【背景技術】
【０００２】
神社や寺院へ参拝に行った証として、御朱印帳と呼ばれる帳面の頁にその神社や寺院の名前、御本尊の名前、参拝の日付などを墨で書いてもらえる。その際、御朱印帳の書いたばかりの頁の墨が対面の頁を汚すことを防止するために、その頁に用紙を挟むことが一般的に行われている。
【０００３】
先行技術に、剛性を有し、片面の一部に眼鏡拭きクロス４の端部を係止するための係止体３を備えた矩形シート２と、係止体３に係止された矩形シート２の面積を超えない面積を有する眼鏡拭きクロス４からなるしおりが開示されているが（特許文献１参照）、眼鏡拭きクロス４の追加・交換が可能である構造については記載も示唆もされていない。また、図１０（ｃ）には蓋状シート５で眼鏡拭きクロス４を狭持する構造が開示されているが、蓋状シート５の上部を面状係止体２６の裏側に潜り込むように差し込み、ロック体２０を蓋状シート５のくびれの部分に引っ掛ける構造であるため、蓋状シート５の全面で狭持することが必須となり、眼鏡拭きクロス４を最前面に出すことができない。すなわち、蓋状シート５は下端部で狭持しているわけではなく全面で狭持している。
【０００４】
先行技術に、紙やプラスチックなどよりなるしおり板の一部にクリップをもうけてなるしおりが開示されているが（特許文献２参照）、この先行技術においてクリップは上辺部へ形成するもののみが開示されており、かかる構造においてはクリップに挟まれるメモ用紙は容易に脱落すると考えられる。
【先行技術文献】
【特許文献】
【０００５】
【特許文献１】実用新案登録第3213731号公報
【特許文献２】公開実用昭和61-175474公報
【考案の概要】
【考案が解決しようとする課題】
【０００６】
解決しようとする課題は、御朱印帳の書いたばかりの頁の墨が対面の頁を汚すことを防止するための用紙を１枚又は複数枚保持し、該用紙が汚れたら用紙を追加、交換又は除去することができる御朱印帳用しおりを提供することである。
【課題を解決するための手段】
【０００７】
本考案は、略四角平面状のしおり本体の上端部及び下端部に用紙の挟持体が設けられたことを最も主要な特徴とする。
【考案の効果】
【０００８】
本考案のしおりは、該特徴を有するため、用紙を確実に保持し、汚れたら容易に用紙を追加、交換又は除去することができる。
【図面の簡単な説明】
【０００９】
【図１】本考案の実施例の平面図である。
【図２】本考案の実施例の使用時において用紙を保持した状態の平面図である。
【考案を実施するための形態】
【００１０】
御朱印帳の書いたばかりの頁の墨が対面の頁を汚すことを防止するための用紙を１枚又は複数枚保持し、汚れたら用紙を追加、交換又は除去することができる御朱印帳用しおりを実現した。なお、該保持されるべき用紙は使用者の選択によりメモ用紙として使用されることも可能であることは言うまでもない。また、本考案は御朱印帳用しおりであるが、一般的な本にも使用可能であることは言うまでもない。
【００１１】
しおり本体の大きさは特に限定しないが、御朱印帳の書いたばかりの頁の墨が対面の頁を汚すことを防止する目的上、御朱印帳の頁の大きさと同一乃至一回り小さいくらいが最適である。
【実施例】
【００１２】
図１〜図２は、本考案の請求項１の実施例である。図１は、本考案の実施例の平面図である。図２は、本考案の実施例の使用時において用紙を保持した状態の平面図である。
【００１３】
本考案の実施例のしおりは、図１に示すように、略四角平面状のしおり本体１０１の上端部及び下端部に用紙の挟持体（以下、「上端部狭持体１０２」「下端部狭持体１０３」という。）が設けられている。しおり本体１０１の上部には突出部１０４が設けられている。上端部狭持体１０２、下端部狭持体１０３のしおり本体１０１への接合部を隠し、かつ、飾り付けるための飾り枠１０５が設けられている。
【００１４】
図２に示すように、実施例のしおりに保持されるべき用紙１０６は上端部狭持体１０２及び下端部狭持体１０３により、上端部と下端部とで上下から保持される形でそれぞれ狭持されている。用紙１０６は上端部狭持体１０２及び下端部狭持体１０３を除く部分が最前面に出ているので、御朱印帳の書いたばかりの頁の墨は大部分が用紙に付くこととなる。用紙１０６は、しおり本体１０１から意図せず脱落することがないとともに、用紙１０６が汚れた場合には、容易に用紙１０６を追加、交換又は除去することができる。
【００１５】
一般的に行われているように御朱印帳に用紙のみを挟んだ場合には、用紙が御朱印帳から脱落しやすいという不具合があるが、本実施例のしおりを用いることで、しおり本体１０１の上部に突出部１０４が設けられていることにより、御朱印帳からしおりが脱落することを防止するとともに、しおりを挟んだ頁がよく分かるという効果を生ずる。
【００１６】
以上が、請求項１に記載の「しおり」の主な構成である。
【産業上の利用可能性】
【００１７】
本考案によれば、用紙を確実に保持し、汚れたら容易に用紙を追加、交換又は除去することができる御朱印帳用しおりを提供することが可能である。
【符号の説明】
【００１８】
１０１    しおり本体
１０２    上端部狭持体
１０３    下端部狭持体
１０４    突出部
１０５    飾り枠
１０６    用紙
【図１】
0003228127.tif 000003
【図２】
0003228127.tif 000004
(57)【要約】      （修正有）【課題】人の生活において日常必須で不可避の洗濯作業を担当する者の心をより豊かにする香りフィギュア付き洗濯ピンチを提供する。【解決手段】香りフィギュア付き洗濯ピンチ１は、フィギュア２の形及び賦香された香りを感じて、生活を豊かにするものである。動物フィギュア２は木綿布で形成され、ユーカリ精油が含浸されている。【選択図】図１
0003228137.tif 000002
【実用新案登録請求の範囲】
【請求項１】
洗濯ピンチに、香りを放つフィギュアを装着させた香りフィギュア付き洗濯ピンチ。
【請求項２】
洗濯ピンチに装着するフィギュアは布製又は布製袋に香料保持剤をいれたものであることを特徴とする請求項１記載の香りフィギュア付き洗濯ピンチ。
【請求項３】
洗濯ピンチに装着するフィギュアには、精油及び調合香料を含浸させることを特徴とする請求項１記載の香りフィギュア付き洗濯ピンチ。
【考案の詳細な説明】
【考案の詳細な説明】
【技術分野】
【０００１】本考案は、香りを放つフィギュアを付けた洗濯ピンチに関するものである。
【背景技術】
【０００２】一般に洗濯ピンチは、洗濯物が乾燥工程で落下及び風などによる飛び去りを防止するために、ハンガー、干し竿及びロープなどに洗濯物を固定するものであることが通常である。【０００３】洗濯ピンチについての文献（特許及び実用新案）の中で、機能を付加したものとして、特開２０１９−８８７５２は、スプリングを備えて狭力を増加させ、洗濯物の落下を防止するものであり、実用新案登録第３２１１１４６号も同様のものである。実用新案登録第３１８５６３８号は、洗濯ピンチにリールホルダーのワイヤーを接続して、洗濯物を引き上げる仕組みである。実用新案登録第３１０２１５９号は、ピンチに保持具を取り付け、円盤をセットして、その円盤を発射する玩具である。特開昭６３−１５３０９８は、洗濯ピンチとして使用する他に、挟むという機能を活用して積木遊びの玩具として使用できるものである。【０００４】洗濯ピンチと付加物で構成され、香りの持続的放出機能を有する洗濯ピンチは無い。【０００５】本考案は、洗濯ピンチに限定するものでなく、家事製品及び玩具製品一般にも適用できる。
【先行技術文献】
【実用新案文献】
【０００６】
【実用新案文献】
実用新案登録第３２１１１４６号
【実用新案文献】
実用新案登録第３１８５６３８号
【実用新案文献】
実用新案登録第３１０２１５９号
【特許文献】
【０００７】
【特許文献】特開２０１９−８８７５２
【特許文献】特開昭６３−１５３０９８
【考案の概要】
【考案が解決しようとする課題】
【０００８】解決しようとする問題点は、人の生活において日常必須で不可避の洗濯作業を、より豊かにすることである。この洗濯作業の内、乾燥工程で使用される洗濯ピンチから香りを感じて、家事担当者の心をより豊かにするものを提供することである。
【課題を解決するための手段】
【０００９】本考案は、香りの選択の多様性及び機能性並びに香りの発散の持続性をもつことを特徴とする。【００１０】更に、洗濯作業を児童が手伝う、又は担当するときに、香りの認識、識別及び嗅覚感性を育成する教育玩具として使用できることを特徴とする。
【考案の効果】
【００１１】本考案で、人の日常家事である洗濯作業がより豊かになり、更に児童の情操面での成長にも寄与するという利点がある。
【図面の簡単な説明】
【００１２】
【図１】香りフィギュア付き洗濯ピンチの外観（例１）
【図２】香りフィギュア付き洗濯ピンチの外観（例２）
【図３】香りフィギュア付き洗濯ピンチの外観（例３）
【符号の説明】１  洗濯ピンチ
２  香りフィギュア
【考案を実施するための形態】
【００１３】家事担当者及び児童が、香りで洗濯作業を楽しみ、又、香りによる嗅覚教育が同時にできることを、簡単な構成で、容易に行えるようにした。
【実施例１】
【００１４】実施例１では、洗濯ピンチに動物フィギュアを装着する。動物フィギュアは木綿布で形成され、ここにユーカリ精油が含浸されている。これを使用して、洗濯物をハンガーに固定したとき、洗濯者はフィギュアとユーカリの香りから、清潔感を感じ、洗濯を楽しく感じた。
【実施例２】
【００１５】実施例２では、洗濯ピンチに花柄フィギュアを装着する。花柄フィギュアはポリエステル布で袋状外側が形成され、中にはケイ酸カルシウム粒を詰める。このケイ酸カルシウム粒にバラ香料が含浸されている。これを使用して、洗濯物をハンガーに固定したとき、洗濯をした児童はフィギュアとバラの香りから、花園感を感じ、洗濯を楽しく感じた。
【実施例３】
【００１６】実施例３では、洗濯ピンチに人形フィギュアを装着する。人形フィギュアは木綿布で形成され、ここにローズマリー精油が含浸されている。これを使用して、洗濯物をハンガーに固定したとき、洗濯した高齢者はフィギュアとローズマリーの香りで活性化され、元気を感じ、洗濯を楽しく感じた。
【実施例４】
【００１７】実施例４では、洗濯ピンチに人形フィギュアを装着する。人形フィギュアはウール布で袋状外側が形成され、中にはセルロース粒を詰める。このセルロース粒にラベンダー精油が含浸されている。これを使用して、洗濯物をハンガーに固定したとき、洗濯者はフィギュアとラベンダーの香りでリラックスし、開放感を感じ、洗濯を楽しく感じた。
【図１】
0003228137.tif 000003
【図２】
0003228137.tif 000004
【図３】
0003228137.tif 000005
(57)【要約】      （修正有）【課題】シャープペン、ボールペン、サインペン等の複数本の筆記具を、その個々の使用目的が目視できる状態に整然と収納し、且つ使用時にはその用途に応じた筆記具を速やかに選別して取り出せる筆記具収納ケースを提供する。【解決手段】筆記具収納ケースは、布、合成樹脂、皮革等の軟質性材料にて形成された前面材１及び後面材２と、この前後面材１、２の左右及び下部を夫々縫合して略四辺形に形成されると共に、複数本の筆記具Ｓを収納する上開口Ｘａの袋状ケース本体Ｘと、この袋状ケース本体Ｘの前面材１側の表面に重畳して上開口縁Ｘｂに縫合されると共に、袋状ケース本体Ｘの前面材１とで背広、バック等の小物収納用内ポケットＰの前面被覆部Ｐａに差込挟持する垂下片３とで成した。【選択図】図２
0003228135.tif 000002
【実用新案登録請求の範囲】
【請求項１】
▲１▼布、合成樹脂、皮革等の軟質性材料にて形成された前面材及び後面材と、
▲２▼この前後面材の左右及び下部を夫々縫合して略四辺形に形成されると共に、複数本の筆記具を収納する上開口の袋状ケース本体と、
▲３▼この袋状ケース本体の前面材側の表面に重畳して上開口縁に縫合されると共に、袋状ケース本体の前面材とで背広、バック等の小物収納用内ポケットの前面被覆部に差込挟持する垂下片とで成したことを特徴とする筆記具収納ケース。
【請求項２】
前記垂下片を、動物、草花、キャラクター等を模写した形状としたことを特徴とする請求項１記載の筆記具収納ケース。
【考案の詳細な説明】
【０００１】  本考案はシャープペン、ボールペン、サインペン等の筆記具を複数本収納する収納ケースに関する。
【背景技術】
【０００２】  今日、シャープペン、ボールペン、サインペン等の筆記具は、その使用用途に応じて多種多様のものが存在しており、その筆記具は無造作に収納ケースに複数本収納されており、使用時には収納ケースから全部の筆記具を取り出し並べて選択し、更に不要な筆記具を収納ケースに戻しており、特に接客等の対面時には好ましいものとは言えない。
先ず、特許文献１は、二つ折の前後面材を、上縁及び開放縁を互いにファスナーにて閉塞して所望数の筆記具を無造作に収納している。
従って、その使用目的に応じた所望の筆記具を取り出す場合も、総ての筆記具を取り出して並べ、その中から所望のものを選択し、且つ他の筆記具を収納ケースに戻すこととなる。
更に特許文献２も同様に、上縁及び開放縁を互いにファスナーにて閉塞して所望数の筆記具を無造作に収納している。
【先行技術文献】
【０００３】
【特許文献１】特開２００２−３２０５１３公報
【特許文献２】実用新案登録第３２１７０５１２号公報
【考案の概要】
【考案が解決しようとする課題】
【０００４】  シャープペン、ボールペン、サインペン等の複数本の筆記具を、その個々の使用目的が目視できる状態に整然と収納し、且つ使用時にはその用途に応じた筆記具を速やかに選別して取り出せることとする。
【課題を解決するための手段】
【０００５】  本考案は、布、合成樹脂、皮革等の軟質性材料にて形成された前面材及び後面材と、この前後面材の左右及び下部を夫々縫合して略四辺形に形成されると共に、複数本の筆記具を収納する上開口の袋状ケース本体と、この袋状ケース本体の前面材側の表面に重畳して上開口縁に縫合されると共に、袋状ケース本体の前面材とで背広、バック等の小物収納用内ポケットの前面被覆部に差込挟持する垂下片とで成したことを特徴とするものである。【０００６】  更に本考案は、前記垂下片を、動物、草花、キャラクター等を模写した形状としたことを特徴とする請求項１記載の筆記具収納ケース。
【考案の効果】
【００１０】（１）請求項１により、シャープペン、ボールペン、サインペン等の複数本の筆記具は、使用目的が目視できる状態に整然と収納されており、且つ使用時にはその用途に応じた筆記具を速やかに選別して取り出せることが出来る。
（２）請求項２により、垂下片を動物、草花、キャラクター等を模写した形状によって、何の変哲もないものに比し、感性を高め、特に若年齢層からの好感を得る。
【図面の簡単な説明】
【００１２】
【図１】筆記具収納ケースの斜視図
【図２】同上の小物収納用内ポケットに収納した断面図
【図３】同上の垂下片を草花に模写した部分図
【図４】同上の垂下片を動物に模写した部分図
【考案を実施するための形態】
以下本考案を実施形態の図面に基づいて説明すると、図１は筆記具収納ケースの斜視図であって、シャープペンシル、サインペン、ボールペン等の筆記具Ｓを所望数収納する。
具体的には図１に示す如く、布、合成樹脂、皮革等の軟質性材料にて形成された四辺形の前面材１と後面材２とを重畳してその左右及び下部を夫々縫合して略四辺形に形成し、シャープペンシル、サインペン、ボールペン等の数として本の筆記具Ｓを収納する上開口Ｘａの袋状ケース本体Ｘを構成する。
この袋状ケース本体Ｘの前面材２の表面には垂下片３を重畳すると共に、上開口縁Ｘｂに縫合している。
而して、図２に示す如く、背広、バック等の小物収納用内ポケットＰの前面被覆部Ｐａの表面に袋状ケース本体Ｘの前面材２を沿わせる共に、押し下げて垂下片３とで前面被覆部Ｐａを挟持する。
勿論、小物収納用内ポケットＰには筆記具Ｓの袋状ケース本体Ｘが収納されておらず、手帳、スマートフォン等Ｈをし有能することも可能である。
図３は垂下片３を草花に、図４は動物を模写した形状として感性を高め、特に若年層から好感を得る様にしている。
【符号の説明】Ｓ    筆記具
Ｘ    袋状ケース本体
Ｐ    小物収納用内ポケット
Ｐａ  前面被覆部
１    前面材
２    後面材
３    垂下片
【図１】
0003228135.tif 000003
【図２】
0003228135.tif 000004
【図３】
0003228135.tif 000005
【図４】
0003228135.tif 000006
【手続補正書】
【提出日】令和2年6月2日(2020.6.2)
【手続補正１】
【補正対象書類名】実用新案登録請求の範囲
【補正対象項目名】全文
【補正方法】変更
【補正の内容】
【実用新案登録請求の範囲】
【請求項１】
▲１▼布、合成樹脂、皮革等の軟質性材料にて形成された前面材及び後面材と、
▲２▼この前後面材の左右及び下部を夫々縫合して略四辺形に形成されると共に、複数本の筆記具を収納する上開口の袋状ケース本体と、
▲３▼この袋状ケース本体の後面材側の表面に重畳して上開口縁に縫合されると共に、袋状ケース本体の後面材とで背広、バック等の小物収納用内ポケットの前面被覆部に差込挟持する垂片とで成したことを特徴とする筆記具収納ケース。
【請求項２】
前記垂片を、動物、草花、または、キャラクターを模写した形状としたことを特徴とする請求項１記載の筆記具収納ケース。
【手続補正２】
【補正対象書類名】明細書
【補正対象項目名】０００６
【補正方法】変更
【補正の内容】
【０００６】更に本考案は、前記垂片を、動物、草花、または、キャラクターを模写した形状としたことを特徴とするものである。
(57)【要約】      （修正有）【課題】ディーゼルエンジン等の内燃機関から排出されるガス中に含まれるパティキュレートを除去するための排気ガス浄化用フィルタに関し、特にパティキュレートによる目詰まり防止した排気ガス浄化用フィルタを提供する。【解決手段】内燃機関の排気側に連通するケーシング２内に配設する軸線方向に延びる平行な多数の貫通孔によってハニカム状をした多孔質焼結体よりなる排気ガス浄化用フィルタ３であって、フィルタの貫通孔の何れか一方の端面が、５０μｍ〜５００μｍの気孔径を１個乃至は複数個を有する膜厚が３ｍｍ〜０．５ｍｍの封口膜をもって封口されている。【選択図】図１
0003228140.tif 000002
【実用新案登録請求の範囲】
【請求項１】
内燃機関の排気側に連通するケ-シング内に配設する軸線方向に延びる平行な多数の貫通孔によってハニカム状をした多孔質焼結体よりなる排気ガス浄化用のフィルタであって、該フィルタの貫通孔の何れか一方の端面が交互に膜厚が3mm〜0.5mmの封口膜をもって封口されており、且つ、該封口の条件として、気孔径50μm〜500μmの気孔を、膜厚が3mmの場合5個以上、膜厚が3mm未満〜0.5mmの場合1〜5個設けたことを特徴とする排気ガス浄化用フィルタ。
【考案の詳細な説明】
【技術分野】
【０００１】
本考案は、ディ-ゼルエンジン等の内燃機関から排出されるガス中に含まれるパティキュレ-トを除去するための排気ガス浄化用フィルタに関し、特にパティキュレ-トによる目詰まり防止した排気ガス浄化用フィルタに関する。
【背景技術】
【０００２】
従来、この種の排気ガス浄化装置としては、内燃機関の排気側に連通する通路を備えたケ-シング内に多孔質セラミック焼結体によって一体形成されたハニカム状の触媒担体と、その触媒担体に担持された触媒成分とからなるフィルタを配置し、内燃機関とフィルタとの間にバ-ナ-等の熱源を配設したものが一般に知られている。そして、フィルタ内に所定量のパティキュレ-トを捕集した後、バ-ナ-によって加熱して捕集されたパティキュレ-トを燃焼して再生処理を行い、再びフィルタとして使用している。
【０００３】
ところが、再生装置が故障することも当然のことながら発生した場合の対策が完全ではない。この種の排気ガス浄化装置の最大の課題は、再生処理が出来なくなった場合である。即ち、パティキュレ-トの捕集が増加するにつれ、フィルタの目詰まりが進行して排ガスの流れが悪化する。その場合には通常ならば再生装置が稼働して再生処理が行われるが、再生装置が故障した場合、極端な場合にはエンジンの稼働は出来なくなってしまう。このような場合には例えば、自動車では走行不可能となり、場合によっては事故を起す恐れさえ生ずる。
【考案の概要】
【考案が解決しようとする課題】
【０００４】
本考案者は、この様な欠点を改良すべく種々検討した結果、ハニカム・フィルタの内燃機関側を特定の封口膜をもって封口することによって上述の恐れを回避できることを見出し、本考案を完成したもので、本考案の目的は、フィルタに一定圧以上の負荷が掛った場合には封口膜の気孔から排気出来る構造を有する排気ガス浄化装置を提供することにある。
【課題を解決するための手段】
【０００５】
本考案の要旨は、内燃機関の排気側に連通するケ-シング内に配設する軸線方向に延びる平行な多数の貫通孔によってハニカム状をした多孔質焼結体よりなる排気ガス浄化用フィルタであって、該フィルタの貫通孔の何れか一方の端面が交互に膜厚が3mm〜0.5mmの封口膜をもって封口されており、且つ、該封口条件として、気孔径が50μm〜500μmの気孔を、膜厚が3mmの場合5個以上、膜厚が3mm未満〜0.5mmの場合1〜5個設けたことを特徴とする排気ガス浄化用フィルタである。上記の封口膜構造を有するフィルタを用いると、フィルタの目詰まりが進行して排ガスの流れが悪化しても、通気性を有するためエンジンの稼動が出来なくなるという最悪の事態を防止出来るので安全性が高く、実用性が高い優れたフィルタを提供することが可能となる。
【０００６】
尚、封口膜の厚さが3mm以上だと封口膜の通気抵抗が大き過ぎて効果が無く、0.5mm以下では封口機能としての性能が無くなってしまう。又、気孔径が50μm以下では通気抵抗が大き過ぎて好ましくなく、500μm以上ではパティキュレ-トの濾過状態が著しく悪化してしまい好ましくない。気孔径50〜500μmの気孔径のものが、各封口膜中の気孔数と気孔径は封口膜が薄い場合には少なくてもよいが、封口膜が厚い場合には多くすることが重要である。封口膜が最も厚い3mmの場合では気孔径50〜500μmの気孔数が厚さ方向に5個以上包含されるように封口膜を構成することが必要となる。封口膜が最も薄い0.5mmの場合には1〜5ケ包含していれば充分である。
【考案の効果】
【０００７】
以上述べたように、本考案は、フィルタを従来法と同様に加熱してパティキュレ-トを燃焼除去する方式であるが、フィルタが加熱される回数が大幅に低減できるため、フィルタの劣化を起すことがなくなると共に、フィルタの加熱のためのエネルギ-が少なくなる。
【図面の簡単な説明】
【０００８】
【図１】図１は、本考案にかかる排気ガス浄化装置の説明図
【考案を実施するための形態】
【０００９】
次に実施例として本願考案を図面を用いて具体的に説明する。図1は本考案にかかる排気ガス浄化装置の説明図である。図1において、排気ガス浄化装置1は金属性のケ-シング2を備え、そのケ-シング2の通路2aが内燃機関Eの排気管路Eaに接続されている。このケ-シング2内には排出ガスを浄化するためのハニカム・フィルタ3が配設され、そのハニカム・フィルタ3とケ-シング2の通路2a内壁との間にはセラミックファイバ-又はセラミックファイバ-複合体等からなる断熱支持部材が充填されている。
【００１０】
更にハニカム・フィルタ3の各ガス通過孔の内壁面には白金族元素やその他金属元素及びその酸化物等からなる酸化触媒が担持されている。内燃機関Eの排出ガスがケ-シング2の供給側4からハニカム・フィルタに導入されると、ガス通過孔の壁部によって排ガス中のパティキュレ-トが濾過されると共に酸化触媒により酸化される。又、浄化された排気ガスはハニカム・フィルタ3から排気される。ハニカム・フィルタ3は軸線方向に平行に延びる多数のガス通過孔によってハニカム状をし、多孔質炭化珪素焼結体によって形成されており、各ガス通過孔の供給側4及び排出側5の何れか一端が交互に封口されている。
【００１１】
ハニカム・フィルタ3に所定量のパティキュレ-トが蓄積すると再生装置が作動してパティキュレ-トを燃焼除去するようになっている。そして、本考案にかかるハニカム・フィルタ3に設けられた複数の貫通孔のうち、所定の貫通口の端部開口を封口膜厚が1mmであって、各封口膜の気孔率は40％、平均気孔径が100μmの封口膜で封口したところ何等の障害も生じなかった。
【図１】
0003228140.tif 000003
(57)【要約】      （修正有）【課題】人間の呼吸器近辺に浮遊する細菌、ウィルスを吸気し消毒した空気を足元に排気する電気消毒器を提供する。【解決手段】自立用脚７によって支持された本体１の内部に殺菌灯４を納置し、本体上部に設けた吸気用ファン３および吸気口２から空気を取り入れ、消毒された空気をフィルター６が内設され本体下部に設けた排気口５より排気する。【選択図】図１
0003228156.tif 000002
【実用新案登録請求の範囲】
【請求項１】
自立する電気消毒器本体上部に吸気口を設け、当該電気消毒器に納置した殺菌灯によって、取り込んだ空気を消毒し、下部に設けた排気口より排気することを特徴とする電気消毒器
【考案の詳細な説明】
【技術分野】
【０００１】  本考案は、自立型の筐体の上部より吸気し下部より排気する電気消毒器に関するものである。
【背景技術】
【０００２】  従来の自立する電気消毒器は下部より吸気し上部より排気していた。
【先行技術文献】
【非特許文献】
【０００３】
【非特許文献１】岩崎電機  空気循環式紫外線清浄機エアーリアカタログ
【考案の概要】
【考案が解決しようとする課題】
【０００４】  下部より吸気すると殺菌しきれなかった空気及び粉塵に付着した細菌、ウィルスを上部より排気することになる。
自立する電気消毒器においては、人間の呼吸器近辺に排気される可能性が高い。
また、下部より吸気すると、人間の呼吸器近辺に浮遊する細菌、ウィルスが床部底辺に下降した後の吸気となる。
【課題を解決するための手段】
【０００５】  本考案は、人間の呼吸器近辺の高さに吸気口を設け、筐体内部に納置した殺菌灯により空気を消毒し、下部に排気口を設けることによって足元近辺より排気することにより問題を解決している。
【考案の効果】
【０００６】  上述の様に、自立する電気消毒器は人間の呼吸器近辺の空気を直接、取り込むため、そこに浮遊する細菌、ウィルスを下降する前に取り込む。
また、下降せず浮遊するマイクロ飛沫を上部より吸気することによって、効率的に取り込む。
自立型であるため、設置工事が不要である。
【図面の簡単な説明】
【０００７】
【図１】本考案の概観図
【考案を実施するための形態】
【０００８】  消毒器本体を自立用の脚によって設置し、上部吸気口より空気を取り入れ、内部に納置された殺菌灯により取り込んだ空気を消毒し、下部排気口より排気する。
【実施例】
【０００９】  以下、添付図面に従って一実例を説明する。
１はアルミ製電気消毒器本体、２は空気を取り込む吸気口、３は吸気用ファン、４は内部に納置された殺菌灯、５は排気口、６は排気口に内設されたフィルター、７は電気消毒器を自立させるための脚。【００１０】  図１の２の吸気口より３の吸気用ファンを用いて、１の電気消毒器本体の内部に空気を取り込む。
取り込まれた空気は電気消毒器内部に納置された４の殺菌灯によって消毒される。
消毒された空気は５の排気口に内設されたフィルターを通って排気される。
【産業上の利用可能性】
【００１１】  本考案の電気消毒器は自立型であるため、設置工事が不要である。
よって、天吊り工事及びその費用負担が難しい場所（小規模飲食店等）での設置が可能となる。
呼吸器近辺の空気を吸い込むことによりソーシャルディスタンスの距離を短くすることができる可能性がある。
【符号の説明】
【００１２】１  電気消毒器本体
２  吸気口
３  吸気用ファン
４  殺菌灯
５  排気口
６  フィルター
７  自立用脚
【図１】
0003228156.tif 000003
(57)【要約】      （修正有）【課題】衣服用シャツの第一ボタンを外すと襟がはだけてしまい、どうしてもだらしなさが目立ってしまうという問題点を解決する衣服用シャツのアクセサリーを提供する。【解決手段】チェーン本体１の両端にＵ字型の細いフック２、３を設けることにより、第一ボタン穴５と反対側の第一ボタン用留め穴６にそれぞれ引っ掛けて襟をつなぎ留めることが出来、第一ボタン５を外した時、襟４がはだけるという問題点を解決する。【選択図】図２
0003228151.tif 000002
【実用新案登録請求の範囲】
【請求項１】
チェーンの両端に細いＵ字型のフックを設け、当該フックをボタンの穴とシャツのボタン穴にそれぞれ引っ掛けることにより襟をつなぎ留める衣服用シャツのアクセサリー。
【考案の詳細な説明】
【技術分野】
【０００１】  第一ボタンを外した時のだらしなさを抑えるべく、襟の両端をつなぎ留めるシャツ専用のアクセサリーに関するものである。
【背景技術】
【０００２】  クールビズ等、第一ボタンを外した時、襟がはだけてしまい、見た目がどうしてもだらしなくなってしまう。
【先行技術文献】
【特許文献】
【０００３】
【特許文献１】実用新案登録第３２１６２５８号公報
【考案の概要】
【考案が解決しようとする課題】
【０００４】  衣服用シャツの第一ボタンを外すと、どうしても襟がはだけてしまい、だらしなさが目立ってしまう。そこで、本考案はそのだらしなさを解決しようとするものである。
【課題を解決するための手段】
【０００５】  本考案は、チェーンの両端にＵ字型の細いフックを設け、当該フックをボタンの穴とシャツのボタン穴にそれぞれ引っ掛けることにより襟をつなぎ留める衣服用シャツのアクセサリーである。特に、第一ボタン穴と反対側の第一ボタン用留め穴にそれぞれ引っ掛けて襟をつなぎ留めることが出来ることにより、第一ボタンを外した時、襟がはだけるという問題点を解決する。
【考案の効果】
【０００６】  本考案は、第一ボタンの外した時、清涼感を保ちつつ、だらしなさを抑え且つオシャレ感を引出す効果を持つ。
【図面の簡単な説明】
【０００７】
【図１】本考案の正面図
【図２】本考案の使用例
【考案を実施するための形態】
【０００８】  衣服用シャツの第一ボタン穴と反対側の第一ボタン用留め穴にそれぞれ取付けられる様にするため、チェーン本体の両端にＵ字型の細いフックを設けるものである。
【実施例】
【０００９】  図面１及び図面２を用いて、本考案の実施例を説明する。
チェーン本体１の両端に、Ｕ字型の細いフック２及び３を設け、当該フックを衣服用シャツの第一ボタンに形成された穴５とシャツの第一ボタン用留め穴６にそれぞれ引っ掛け、襟４をつなぎ留めている。前記第一ボタンの穴５は、留め付け用の糸を通すための穴であってもよいし、フックを引っかけるために新たに形成した穴であってもよい。尚、チェーン本体及びＵ字型フックは金属素材が最適ではあるが、樹脂等の他の素材であってもよい。また本実施例では、第一ボタンの位置で使用しているが、第二ボタン等の他のボタン位置で使用してもよい。
【符号の説明】
【００１０】  １  チェーン本体
２  Ｕ字型の細いフック
３  Ｕ字型の細いフック
４  襟
５  第一ボタンの穴
６  シャツの第一ボタン用留め穴
【図１】
0003228151.tif 000003
【図２】
0003228151.tif 000004
(57)【要約】      （修正有）【課題】マスク本体と鼻脇、顎、頬脇の隙間を塞ぎ、顎から耳脇までゆったりと包み、耳に負担をかけない衛生マスクを提供する。【解決手段】衛生マスクは、マスク本体１と耳掛け紐２から成る。マスク本体１は伸縮性のある布を用いて、鼻脇部３と、顎先部６の両脇に縦方向のタック４、７を入れ、鼻及び顎に接する部分に膨らみを形成することにより、顔面との隙間を無くし、またマスク本体１が鼻からずれ難くして、埃や花粉の侵入を防ぐ。耳掛け紐２は、伸縮性の素材を用い、長さが調節できる留め具９を備えることにより、顔面に適切に合わせることができ、着用時の違和感や痛みを解消する。【選択図】図１
0003228155.tif 000002
【実用新案登録請求の範囲】
【請求項１】
鼻および口を覆うマスク本体とその両端に耳掛け紐を備えた布マスクであって、前記マスク本体は伸縮性の布地からなり、前記マスク本体が鼻脇に接する部分にタックを設け、鼻を覆う膨らみを形成するすことを特徴とする衛生マスク。
【請求項２】
前記マスク本体が顎に接する部分にタックを設け、顎先を覆う膨らみを形成するすことを特徴とする請求項１記載の衛生マスク。
【請求項３】
前記耳掛け紐は伸縮性のある素材からなり、紐の長さを調節する留め具を備えることを特徴とする請求項１または請求項２記載の衛生マスク。
【考案の詳細な説明】
【技術分野】
【０００１】  本考案は布からなる衛生マスクで、マスク本体が鼻及び顎、頬を覆い、前記マスク本体を顔面に保持する耳掛け紐が付帯する衛生マスクに関するものである。
【背景技術】
【０００２】  従来の衛生マスクはマスク本体の伸縮性に乏しく、鼻脇、顎、頬脇に隙間ができるため、顔面へのフィット性が劣り、またマスク本体の鼻に接する部分が下にずれやすかった。このため、容易に埃や花粉の侵入を許し、衛生マスクの機能を十分発揮できなかった。またマスクの着用が長時間に及ぶと、耳掛け紐の擦れ、圧迫による違和感や耳の痛みが生じることもあった。
【考案の概要】
【考案が解決しようとする課題】
【０００３】  本考案は、従来の課題を解決するものであり、マスク本体と鼻脇、顎、頬脇の隙間を塞ぎ、顎から耳脇までゆったりと包み、耳に負担をかけない衛生マスクを提供するものである。
【課題を解決するための手段】
【０００４】  本考案による衛生マスクは、マスク本体が伸縮性の布地からなり、マスク本体が鼻脇に接する部分にタックを設け、鼻を覆う膨らみを形成し、マスク本体が顎に接する部分にタックを設け、顎先を覆う膨らみを形成するものである。
また耳掛け紐は伸縮性のある素材からなり、紐の長さを調節する留め具を備えるものである。
【考案の効果】
【０００５】  上述のように、マスク本体には伸縮性のある布地を用い、鼻脇に接する部分に縦方向のタックを入れることにより鼻を覆い、鼻に接する部分に隙間ができない。このため、マスク本体が鼻からずれて下がることもなく、平面的なマスクに比べ息苦しくない。また眼鏡を着用する際は、鼻に接する部分に隙間がないため、呼吸でレンズが曇ることもない。また顎に接する部分も顎先の両側にタックを入れることにより、顎から頬までをすっぽりと覆い、顎に接する部分の隙間が無くなることで、埃や花粉などの侵入を防ぐことができる。また耳掛け紐は伸縮性のある素材を用い、さらに紐の長さを調節することで耳や頬に負担をかけず、マスクを長時間着用する際も快適に過ごせる。さらにマスク本体の両端部分を耳の付け根位置まで伸ばし、頬全体を覆うことにより日焼けを防止することもできる。
【図面の簡単な説明】
【０００６】
【図１】  マスクの正面図
【図２】  マスク着用時の側面図
【考案を実施するための形態】
【０００７】  考案の実施の形態については図面を参照して説明する。
【実施例】
【０００８】  図１はマスクを正面から見た正面図である。マスクは本体１と耳掛け紐２から成る。マスク本体１は鼻先部３の両側面４に縦方向のタック１個ずつ入れることで、鼻に接する部分に山形の膨らみを形成する。また顎先部６の両側面７にも縦方向のタックを１個ずつ入れることで、顎に接する部分に山形の膨らみを形成する。またマスク本体１の布地の上端カット線５及び下端カット線８を、マスク本体１の両端が耳の付け根に接するよう伸長し、マスク本体１が頬全体を覆うよう形成する。【０００９】  図２はマスク着用時に側面から見た側面図である。マスクの本体１は、上端５及び下端８の中心付近に縦方向のタックを入れることにより、鼻及び顎に接する部分が絞られ、全体に膨らみをもつ立体的な形状になる。また耳掛け紐２は、ゴムのような伸縮性の素材が用いられ、耳裏に接する位置には例えばスライドストッパーのような留め具９を備える。
【符号の説明】
【００１０】１  マスク本体
２  耳掛け紐
３  鼻先部
４  鼻先側面のタック
５  布地の上端カット線
６  顎先部
７  顎先側面のタック
８  布地の下端カット線
９  留め具
【図１】
0003228155.tif 000003
【図２】
0003228155.tif 000004
(57)【要約】      （修正有）【課題】ヘルメットを装着しての作業時にマスクを脱着し易くするヘルメット用マスク掛け具を提供する。【解決手段】ヘルメット用マスク掛け具１は、ヘルメット４の下端面５に装着する為の連結部２及びマスク紐を掛ける為の突起部３を有する。ヘルメット用掛け具１を、ヘルメット４に取り付ければヘルメット４を装着したままマスクを脱着出来る。【選択図】図３
0003228154.tif 000002
【実用新案登録請求の範囲】
【請求項１】
ヘルメットの下端面に装着する為の連結部及びマスク紐を掛ける為の突起部を有したヘルメット用マスク掛け具。
【考案の詳細な説明】
【技術分野】
【０００１】  本考案はヘルメットに取り付ける物であり、マスクの紐を掛けられるように考案したヘルメット用マスク掛け具に関する物である。
【技術背景】
【０００２】  従来、ヘルメットを装着しての作業時にマスクを装着しようとする場合、紐を後頭部に回すタイプのマスク及び紐を耳に掛けるタイプのマスクの両タイプのマスク共に、そのマスク紐はヘルメットの顎紐の内側を通さなければ不都合なものである。
その為にヘルメットを装着しての作業時にマスクを脱着しようとする場合にはヘルメットの顎紐を外さなければスムーズに脱着出来なくて不便なものである。
【先行技術文献】
【特許文献】
【０００３】
【考案の概要】
【考案が解決しようとする課題】
【０００４】  本考案はヘルメットを装着しての作業時にマスクの脱着を容易にしようとする為の物である。
【課題を解決するための手段】
【０００５】  本考案はヘルメットの下端面に装着する為の連結部及びマスク紐を掛ける為の突起部を有しているので、本考案を使用すれば、ヘルメットの顎紐を外さなくてもマスクの脱着を容易に出来る。
【考案の効果】
【０００６】  従来、ヘルメットを装着しての作業時にマスクを装着した場合、保護メガネが曇った時や水分を補給する時などにどうしてもマスクを外さなければならない時が有る。
その時に本考案を装着していればヘルメットを外さなくてもマスクの脱着が出来る。
【考案を実施するための形態】
【０００７】  以下、本考案のヘルメット用マスク掛け具１を、図面に示す使用例に基ずいて具体的に説明する。
【０００８】  図１は本考案１の形状を表す図であり、ヘルメット４の下端面５に装着する為の連結部２及びマスク紐８を掛ける為の突起部３を有する物である。本考案１の使用方法はヘルメット４の両側面の下端面５に本考案１の有する連結部２を手で圧入して本考案１をヘルメット４に固定する。図４は本考案１をヘルメット４に装着して使用している時の見取り図でありマスク紐８をヘルメット１の顎紐６の外側を通して本考案１の有する突起部３に掛けてマスク７を装着、使用する。
【図面の簡単な説明】
【０００９】
【図１】本考案の形状を表す正面図及び側面図である。
【図２】本考案の形状を表す斜視図である。
【図３】本考案をヘルメットに装着した時の正面図及び側面図である。
【図４】本考案の使用例を表す斜視図である。
【符号の説明】
【００１０】１・・・・・・  本考案であるヘルメット用マスク掛け具
２・・・・・・  本考案を構成する、ヘルメットに装着する為の連結部
３・・・・・・  本考案を構成する、マスク紐掛部
４・・・・・・  ヘルメット
５・・・・・・  ヘルメットの下端面
６・・・・・・  ヘルメットの顎紐
７・・・・・・  マスク
８・・・・・・  マスク紐
【図１】
0003228154.tif 000003
【図２】
0003228154.tif 000004
【図３】
0003228154.tif 000005
【図４】
0003228154.tif 000006
(57)【要約】      （修正有）【課題】便器本体と便座の隙間を無くしそこから尿が漏れ出ないようにすることにより床を掃除する手間を減らし、また、床を傷めないようにする便座保護カバーを提供する。【解決手段】取り付け板１と隙間ブロック２と位置決めバー３が一体となっており、位置決めバーを便座の裏の壁に沿って固定し、取り付け板に両面テープを用いてもしくは空いてある穴を利用してねじ止めをすることにより便座を下すと便器本体と便座の間の隙間を隙間ブロックで防ぎ、本体と便座の隙間を無くし座って排尿する時に便器本体と便座の隙間から尿が漏れ出ないようにする。【選択図】図１
0003228179.tif 000002
【実用新案登録請求の範囲】
【請求項１】
取り付け板１と隙間ブロック２と位置決めバー３が一体となっており、位置決めバー３を便座の裏の壁に沿って固定し、取り付け板１に両面テープを用いてもしくは空いてある穴を利用してねじ止めをすることにより便座を下すと便器本体と便座の間の隙間を隙間ブロック２で防ぐことができる。そのことにより本体と便座の隙間を無くし座って排尿する時に便器本体と便座の隙間から尿が漏れ出ないようにする便座保護カバー。
【考案の詳細な説明】
【考案の詳細な説明】
【技術分野】
【００１】    本考案は腰掛式便器の便座の裏に取り付け便器本体と便座の隙間を無くし排尿時の尿が外に漏れないようにするものである。
【技術背景】
【００２】      従来は腰掛式便器において座って排尿する時に便器本体と便座の隙間から尿が漏れ出ることがあった。そのため尿で床を濡らしてしまい掃除が大変な上に床を痛めてしまうことがあった。これを防ぐために便座の裏に本発明品を取り付け便器本体と便座の隙間を無くし尿が漏れ出ないようにし床を掃除する手間を減らしまた床を傷めないようにするものである。
【考案の開示】
【考案が解決しようとする課題】
【００３】      これを防ぐために便座の裏に本考案品を取り付け便器本体と便座の隙間を無くしそこから排尿時の尿が漏れ出ないようにすることにより床を掃除する手間を減らしまた床を傷めないようにするものである。
【課題を解決するための手段】
【００４】      そこで本考案は取り付け板１と隙間ブロック２と位置決めバー３が一体となって便座の裏に容易に取り付けられるようにしてある。位置決めバー３を便座の裏の壁に沿って固定し、取り付け板１に両面テープ用いてもしくは空いてある穴を利用してねじ止めをする。そのようにして取り付け便座を下すと便器本体と便座の間の隙間は隙間ブロック２で防ぐことができる。
【考案の効果】
【００５】      本考案品を取り付けることにより腰掛式便器の便器本体と便座の隙間がなくなり今まで漏れていた尿を防ぐことができ床を汚すこともなく掃除の手間がなくなりまた床を傷めることもなくなる。
【図面の簡単な説明】
【図１】  本体の全体図
【図２】  本体の取り付け図
【符号の説明】  １．取り付け板
２．隙間ブロック
３．位置決めバー
【図１】
0003228179.tif 000003
【図２】
0003228179.tif 000004
【手続補正書】
【提出日】令和2年6月10日(2020.6.10)
【手続補正１】
【補正対象書類名】実用新案登録請求の範囲
【補正対象項目名】全文
【補正方法】変更
【補正の内容】
【実用新案登録請求の範囲】
【請求項１】
取り付け板と隙間ブロックと位置決めバーが一体となっており、位置決めバーを便座の裏の壁に沿って固定し、取り付け板に両面テープを用いてもしくは空いてある穴を利用してねじ止めをすることにより便座を下すと便器本体と便座の間の隙間を隙間ブロックで防ぎ、本体と便座の隙間を無くし座って排尿する時に便器本体と便座の隙間から尿が漏れ出ないようにする便座保護カバー。